(57)【特許請求の範囲】
【請求項１】
投入部に投入された処理対象米を精米処理して取出部に排出する精米処理手段と、この精米処理手段における白度調整状態を変更調整する白度調整手段と、予め設定されている複数段階の基準白度に対応する複数の基準白度情報のうちのいずれかを指令する手動操作式の白度設定手段と、前記精米処理手段及び前記白度調整手段の作動を制御する運転制御手段とが備えられ、
前記運転制御手段が、設備の使用に対する対価の支払が行われたことを示す対価支払情報を少なくとも含む状態で定めた運転開始条件が満たされると、前記精米処理手段にて精米処理を行い且つ前記白度設定手段にて指令される前記基準白度情報に対応する白度調整状態に前記白度調整手段を調整するように、前記精米処理手段及び前記白度調整手段の作動を制御する精米運転制御処理を実行するように構成されている精米処理設備であって、
前記白度設定手段にて指令される複数の基準白度情報のうちの少なくともいずれか１つの基準白度情報に対する微調節情報を指令する手動操作式の白度微調節手段が、前記微調節情報として、前記基準白度情報を微調節しない無調節状態に対応する情報、前記基準白度情報よりも白度増大側に微調節する情報、及び、前記基準白度情報よりも白度減少側へ微調節する情報を指令可能な状態で設けられ、
前記運転制御手段が、
前記白度微調節手段による微調節の対象となる基準白度情報が前記白度設定手段にて指令されている場合には、前記白度設定手段にて指令される基準白度情報と前記白度微調節手段にて指令される微調節情報とに基づいて求めた調節白度情報に対応する白度調整状態に前記白度調整手段を調整する形態で、前記精米運転制御処理を実行するように構成され、且つ、
前記白度微調節手段をリセットするための条件として定めたリセット用判別条件が満たされると、前記白度微調節手段を前記無調節状態に対応する情報を指令する状態に復帰させるリセット処理を実行するように構成されている精米処理設備。
【請求項２】
前記白度微調節手段が、前記基準白度情報よりも白度増大側に微調節する情報として、複数段階の微調節量に対応する複数の情報を指令可能に、及び、前記基準白度情報よりも白度減少側へ微調節する情報として、複数段階の微調節量に対応する複数の情報を指令可能に構成されている請求項１記載の精米処理設備。
【請求項３】
前記白度微調節手段が、前記基準白度情報よりも白度増大側に微調節する情報よりも、前記基準白度情報よりも白度減少側へ微調節する情報の方が、大きな微調節量を指令するように構成されている請求項１又は２記載の精米処理設備。
【請求項４】
前記白度微調節手段が、前記処理対象米の温度情報又は季節情報に基づいて、前記微調節情報に対応する微調節量を補正するように構成されている請求項１〜３のいずれか１項に記載の精米処理設備。
【請求項５】
前記白度微調節手段が、前記取出部の近傍に設けられている請求項１〜４のいずれか１項に記載の精米処理設備。
【請求項６】
前記精米処理手段における前記投入部及び前記取出部に対する作業のために使用者が出入りする作業用空間を備えた建物が設けられ、
前記作業用空間内に使用者が存在している存在状態であるか存在していない非存在状態であるかを検出する人体存否検出手段が備えられ、
前記運転制御手段が、前記対価に対応して設定された使用可能時間が経過し、且つ、前記人体存否検出手段が前記非存在状態を検出すると、前記リセット用判別条件が満たされたと判別するように構成されている請求項１〜５のいずれか１項に記載の精米処理設備。
【発明の詳細な説明】
【技術分野】
【０００１】
本発明は、投入部に投入された処理対象米を精米処理して取出部に排出する精米処理手段と、この精米処理手段における白度調整状態を変更調整する白度調整手段と、予め設定されている複数段階の基準白度に対応する複数の基準白度情報のうちのいずれかを指令する手動操作式の白度設定手段と、前記精米処理手段及び前記白度調整手段の作動を制御する運転制御手段とが備えられ、前記運転制御手段が、設備の使用に対する対価の支払が行われたことを示す対価支払情報を少なくとも含む状態で定めた運転開始条件が満たされると、前記精米処理手段にて精米処理を行い且つ前記白度設定手段にて指令される前記基準白度情報に対応する白度調整状態に前記白度調整手段を調整するように、前記精米処理手段及び前記白度調整手段の作動を制御する精米運転制御処理を実行するように構成されている精米処理設備に関する。
【背景技術】
【０００２】
かかる精米処理設備は、不特定多数の使用者が例えば玄米等の処理対象米を投入部から投入し、コインや紙幣等の使用に対する対価を支払って処理対象米の精米処理を行うことができるようにしたものである。そして、従来では、前記白度設定手段として、例えば、予め設定されている複数段階の基準白度を夫々指令するための複数の白度選択ボタンが備えられ、使用者がコインや紙幣等の使用に対する対価を支払ったことを示す対価支払情報と、前記いずれかの白度選択ボタンを押し操作して複数の白度選択ボタンの夫々に対応する複数の基準白度情報のうちのいずれかが指令されると、前記運転開始条件が満たされたものとして、前記運転制御手段が前記精米運転制御処理を実行するように構成され、前記運転制御手段は、前記白度設定手段による白度指令情報に基づいてその指令された白度指令情報に対応する基準白度になるように前記白度調整手段を制御するように構成されていた（例えば、特許文献１参照。）。
【０００３】
【特許文献１】特開２０００−３３４３１７号公報
【発明の開示】
【発明が解決しようとする課題】
【０００４】
上記従来構成は、精米処理を実行するときに、使用者が白度設定手段を操作することで、予め設定されている複数段階の基準白度のうちのいずれか自分が希望する基準白度を選択的に指令することができるようにしたものであるが、このような構成では、前記複数段階の基準白度以外の白度は選択することができないので、より細かな白度への変更調整を希望するような使用者にとっては使い勝手が悪いものとなっていた。
【０００５】
説明を加えると、より細かな白度の変更調整を希望するような使用者としては、例えば、最近では、米の表層部に栄養分を含む澱粉層等が多めに残存する低めの白度を希望するような使用者等は、一般的に健康志向が高く白度を細かく変更させるようにすることを希望する場合がある。しかしながら、上記従来構成では、前記複数段階の基準白度以外の白度は選択することができないので、このようなより細かな白度の変更調整を希望するような使用者の好みに対応することができず、使い勝手が悪いものとなっていた。
【０００６】
ところで、精米処理設備を使用する不特定多数の使用者のうちで、上記したような細かな白度の変更調整を希望するような使用者以外のその他の使用者については、前記白度設定手段を操作することで設定される前記複数段階の基準白度のうちのいずれかの基準白度が選択できればよく細かな白度の変更調整は必要としない場合が多いが、このような使用者にとっては、基準白度以外にも変更可能なように細かな白度の変更調整を行うようにすると扱い難いものとなる不利がある。
【０００７】
本発明の目的は、多数の使用者が扱い易い形態で使用者の好みに応じた白度に調整することが可能となる精米処理設備を提供する点にある。
【課題を解決するための手段】
【０００８】
本発明に係る精米処理設備は、投入部に投入された処理対象米を精米処理して取出部に排出する精米処理手段と、この精米処理手段における白度調整状態を変更調整する白度調整手段と、予め設定されている複数段階の基準白度に対応する複数の基準白度情報のうちのいずれかを指令する手動操作式の白度設定手段と、前記精米処理手段及び前記白度調整手段の作動を制御する運転制御手段とが備えられ、前記運転制御手段が、設備の使用に対する対価の支払が行われたことを示す対価支払情報を少なくとも含む状態で定めた運転開始条件が満たされると、前記精米処理手段にて精米処理を行い且つ前記白度設定手段にて指令される前記基準白度情報に対応する白度調整状態に前記白度調整手段を調整するように、前記精米処理手段及び前記白度調整手段の作動を制御する精米運転制御処理を実行するように構成されているものであって、
その第１特徴構成は、前記白度設定手段にて指令される複数の基準白度情報のうちの少なくともいずれか１つの基準白度情報に対する微調節情報を指令する手動操作式の白度微調節手段が、前記微調節情報として、前記基準白度情報を微調節しない無調節状態に対応する情報、前記基準白度情報よりも白度増大側に微調節する情報、及び、前記基準白度情報よりも白度減少側へ微調節する情報を指令可能な状態で設けられ、
前記運転制御手段が、
前記白度微調節手段による微調節の対象となる基準白度情報が前記白度設定手段にて指令されている場合には、前記白度設定手段にて指令される基準白度情報と前記白度微調節手段にて指令される微調節情報とに基づいて求めた調節白度情報に対応する白度調整状態に前記白度調整手段を調整する形態で、前記精米運転制御処理を実行するように構成され、且つ、
前記白度微調節手段をリセットするための条件として定めたリセット用判別条件が満たされると、前記白度微調節手段を前記無調節状態に対応する情報を指令する状態に復帰させるリセット処理を実行するように構成されている点にある。
【０００９】
第１特徴構成によれば、前記運転制御手段は、前記白度微調節手段による微調節の対象となる基準白度情報が前記白度設定手段にて指令されている場合には、前記白度設定手段にて指令される基準白度情報と前記白度微調節手段にて指令される微調節情報とに基づいて求めた調節白度情報に対応する白度調整状態に前記白度調整手段を調整する形態で、前記精米運転制御処理を実行する。
【００１０】
説明を加えると、使用者が投入部に処理対象米を投入して、前記対価の支払を行う等の上記運転開始条件が満たされると、精米処理手段が精米処理を開始して処理対象米を精米処理して取出部に排出することになるが、取出部に排出された精米処理された処理対象米を目視することで希望する白度になっているか否かを確認することになる。そのとき、前記白度微調節手段による微調節の対象となる基準白度情報が前記白度設定手段にて指令されており、取出部に排出された処理対象米の白度が希望する白度とは異なっているときには、使用者が前記白度微調節手段を手動操作することにより、基準白度情報に対する微調節情報を指令すると、基準白度情報に対する微調節情報とに基づいて求めた調節白度情報に対応する白度調整状態に前記白度調整手段を調整するので、精米処理にて実際に精米処理される処理対象米の白度が変更調整されるのである。
【００１１】
前記白度微調節手段の前記微調節情報について説明を加えると、前記白度微調節手段により前記微調節情報として前記基準白度情報を微調節しない無調節状態に対応する情報が指令されると、前記調節白度情報は前記白度設定手段にて指令される基準白度情報に対応するものとなる。又、前記白度微調節手段により前記微調節情報として前記基準白度情報よりも白度増大側に微調節する情報が指令されると、前記調節白度情報は前記白度設定手段にて指令される基準白度情報を白度増大側に微調節した情報となる。そして、前記白度微調節手段により前記微調節情報として前記基準白度情報よりも白度減少側に微調節する情報が指令されると、前記調節白度情報は前記白度設定手段にて指令される基準白度情報を白度減少側に微調節した情報となる。
【００１２】
つまり、精米処理後の処理対象米の白度が使用者が希望する白度と異なっていれば、使用者が前記白度微調節手段により微調節情報を指令することで、精米処理後の処理対象米の白度が使用者が希望する白度になるように、精米処理手段における白度調整状態を変更調整することが可能となる。その結果、細かな白度の変更調整を希望するような使用者にとっては、前記白度微調節手段を操作するという扱い易い形態で好みに応じた白度に調整することが可能となる。
【００１３】
そして、前記白度微調節手段をリセットするための条件として定めたリセット用判別条件が満たされると、前記運転制御手段は、前記リセット処理を実行して前記白度微調節手段を前記無調節状態に対応する情報を指令する状態に復帰させることになる。前記リセット用判別条件としては、例えば、それまで当該設備を使用していた使用者が設備の使用を終了したことに対応する条件等、前記白度微調節手段による微調節の状態を前記無調節状態に対応する状態に復帰すべき条件である。
【００１４】
その結果、別の使用者が処理対象米を投入して精米処理を開始するときには、前記白度微調節手段が前記無調節状態に対応する情報を指令する状態に復帰しているので、前記白度微調節手段の操作を行わなくても、前記白度設定手段にて指令される基準白度情報に対応する白度調整状態に前記白度調整手段が調整されることになる。
【００１５】
ところで、このような構成に代えて、例えば、使用者が設備の使用を終了した場合であっても、前記リセット処理を実行することなく、前記白度微調節手段を前回の使用者が調節した微調節情報を指令する状態に維持させるようにすることも考えられるが、この種の精米処理設備においては、不特定多数の使用者が使用するものであるから、前回の使用者が前記白度微調節手段を自分が希望する調節位置に操作して精米処理を行った場合に、その後、例えば、白度設定手段にて指令される基準白度情報に対して微調節を必要としない別の使用者が精米処理する際に、前記白度微調節手段が前記無調節状態に対応する情報を指令する状態に戻し操作することを忘れると、前記白度微調節手段が前回の使用者が調節した微調節情報を指令する状態に維持されるので、実際に精米された後の処理対象米の白度が使用者が希望する白度とは異なったものになるおそれがある。このように基準白度情報に対して微調節を必要としない使用者等にとってはかえって使い勝手が悪いものとなる。
【００１６】
これに対して第１特徴構成によれば、前回の使用者とは異なる別の使用者が設備を使用するときは、前記白度微調節手段が前記無調節状態に対応する情報を指令する状態に復帰しており、前記白度微調節手段に対して何ら操作を行わなくても、前記白度設定手段にて指令される基準白度情報に対応する白度調整状態に前記白度調整手段が調整されることになるから、基準白度情報に対して微調節を必要としない別の使用者が使用する場合であっても、煩わしさなく扱い易い形態で好みに応じた白度に調整することが可能となる。
【００１７】
従って、第１特徴構成によれば、多数の使用者が扱い易い形態で使用者の好みに応じた白度に調整することが可能となる精米処理設備を提供できるに至った。
【００１８】
本発明の第２特徴構成は、第１特徴構成に加えて、前記白度微調節手段が、前記基準白度情報よりも白度増大側に微調節する情報として、複数段階の微調節量に対応する複数の情報を指令可能に、及び、前記基準白度情報よりも白度減少側へ微調節する情報として、複数段階の微調節量に対応する複数の情報を指令可能に構成されている点にある。
【００１９】
第２特徴構成によれば、使用者が前記白度微調節手段を手動操作して前記微調節情報を指令する場合、前記微調節情報として、前記基準白度情報よりも白度増大側に微調節する情報、及び、前記基準白度情報よりも白度減少側へ微調節する情報を指令するときは、複数段階の微調節量に対応する複数の情報を指令可能であるから、複数段階の微調節量にて微調節されるので、使用者は、前記白度微調節手段を複数段階のうちのどの微調節量に調整すれば処理対象米の白度が所望の状態になるかを経験的に知ることにより、例えば、無段階に微調節するような構成に比べて、希望する白度にするために微調節操作を行うときの目安として微調節量を定めることが可能であり微調節操作が行い易いものとなる。
【００２０】
従って、第２特徴構成によれば、微調節するときの目安を定め易いものとなって微調節操作が行い易いものとなる精米処理設備を提供できるに至った。
【００２１】
本発明の第３特徴構成は、第１特徴構成又は第２特徴構成に加えて、前記白度微調節手段が、前記基準白度情報よりも白度増大側に微調節する情報よりも、前記基準白度情報よりも白度減少側へ微調節する情報の方が、大きな微調節量を指令するように構成されている点にある。
【００２２】
この種の精米処理設備を使用する使用者のうち、例えば標準的な白米の白度に相当するような大きめの白度を希望する使用者は、白度の微調節を大きい範囲にわたって行うという要求は比較的少ないが、米の表層部に栄養分を含む澱粉層等が多めに残存する低めの白度を希望する使用者は、一般的には、健康志向が高く白度の微調節を大きい範囲にわたって行えるようにすることを希望する傾向がある。
【００２３】
そこで、前記基準白度情報よりも白度増大側に微調節する情報より前記基準白度情報よりも白度減少側へ微調節する情報の方が大きな微調節量を指令する構成とすることで、白度増大側へ微調節する場合には微調節量はそれほど大きくないが、白度減少側へ微調節する場合には、大きな微調節量を指令することになるから白度の微調節を大きい範囲にわたって行い易いものとなり、好みの白度に対応する微調節情報を指令する微調節操作が行い易いものとなる。
【００２４】
従って、第３特徴構成によれば、微調節操作を行い易いものにすることが可能となる精米処理設備を提供できるに至った。
【００２５】
本発明の第４特徴構成は、第１特徴構成〜第３特徴構成のいずれかに加えて、前記白度微調節手段が、前記処理対象米の温度情報又は季節情報に基づいて、前記微調節情報に対応する微調節量を補正するように構成されている点にある。
【００２６】
第４特徴構成によれば、前記白度微調節手段が、前記処理対象米の温度情報又は季節情報に基づいて前記微調節情報に対応する微調節量を補正することになる。説明を加えると、処理対象米の温度が異なったり、例えば夏季と冬季等のように精米を行う季節が異なると、例えば、前記微調節情報として同じ情報を指令した場合であっても、精米処理後の白度が異なった状態になることがある。
説明を加えると、高温の処理対象米を精米する場合、又は、湿度及び温度が高い夏季に精米を行う場合には、処理対象米は含有水分が多めであり且つ比較的軟い状態となって、精米処理において米の表層部が精白化し易い傾向がある。一方、低温の処理対象米を精米する場合、又は、湿度及び温度が低い冬季に精米を行う場合には、処理対象米は含有水分が少なめであり且つ比較的硬い状態となって、精米処理において米の表層部が精白化し難い傾向がある。
【００２７】
そこで、処理対象米の温度情報又は季節情報に基づいて前記微調節情報に対応する微調節量を補正することによって、精米処理を行うときの処理対象米の温度の違いや季節の違いに対応した適切な微調節情報を指令することができ、例えば、処理対象米の温度や季節が異なっても、同じ微調節情報を指令すると精米処理後の白度が同じになるようにすることができ、互いに異なった微調節情報を指令する等の煩わしさがなく、扱い易い形態で微調節操作を行うことができる。
【００２８】
従って、第４特徴構成によれば、前記処理対象米の温度の違いや季節の違いに拘らず、同じ微調節情報であれば精米処理後の白度が同じになるようにすることができ、扱い易い形態で微調節操作を行うことが可能となる精米処理設備を提供できるに至った。
【００２９】
本発明の第５特徴構成は、第１特徴構成〜第４特徴構成のいずれかに加えて、前記白度微調節手段が、前記取出部の近傍に設けられている点にある。
【００３０】
第５特徴構成によれば、前記白度微調節手段が前記取出部の近傍に設けられているから、使用者は、取出部から排出される精米処理後の処理対象米の実際の白度を目視で確認しながら、取出部の近傍に設けられている白度微調節手段を手動操作して所望の白度になるように微調節情報を指令することができる。
【００３１】
従って、第５特徴構成によれば、使用者が精米処理後の処理対象米の実際の白度を目視で確認しながら適切な微調節情報を指令する状態に白度微調節手段を操作することができて使用者にとって使い勝手がよい精米処理設備を提供できるに至った。
【００３２】
本発明の第６特徴構成は、第１特徴構成〜第５特徴構成のいずれかに加えて、前記精米処理手段における前記投入部及び前記取出部に対する作業のために使用者が出入りする作業用空間を備えた建物が設けられ、前記作業用空間内に使用者が存在している存在状態であるか存在していない非存在状態であるかを検出する人体存否検出手段が備えられ、前記運転制御手段が、前記対価に対応して設定された使用可能時間が経過し、且つ、前記人体存否検出手段が前記非存在状態を検出すると、前記リセット用判別条件が満たされたと判別するように構成されている点にある。
【００３３】
第６特徴構成によれば、使用者は、前記作業用空間内に自己の処理対象米を持ち込んで、投入部に投入し且つ設備の使用に対する対価の支払を行う。そして、精米処理が終了すると、取出部から排出される処理対象米を取り出して、作業用空間から外部に退出していくことになる。
【００３４】
そこで、運転制御手段が、対価に対応して設定された使用可能時間が経過し、且つ、人体存否検出手段が作業用空間内に使用者が存在していない非存在状態を検出すると、当該使用者による設備の使用が終了してリセット用判別条件が満たされたと判別して、白度微調節手段を無調節状態に対応する情報を指令する状態に復帰させるリセット処理を実行するようにしているのである。
【００３５】
ところで、前記リセット用判別条件として、例えば、対価に対応して設定された使用可能時間が経過して精米処理が終了すると直ちに、リセット用判別条件が満たされたと判別する構成とすることも考えられるが、このような構成にすると、処理すべき処理対象米の量が多く一回の投入処理による精米処理では処理仕切れない場合等において、同一の使用人が複数回にわたって精米処理を行うことがあるが、そのような場合には、精米処理が終了する毎に前記リセット処理を実行することになり、使用者は精米処理を開始するとき、その都度、微調節情報を調整し直さなければならず、操作の煩わしさがあるが、上記したようなリセット用判別条件とすることで、同一使用者が作業用空間内に居る間はリセットされないので、上述したような不利がない。
【００３６】
従って、第６特徴構成によれば、微調節情報を調整し直す等の操作の煩わしさがない状態で良好に精米処理を行うことが可能となる精米処理設備が提供できるに至った。
【発明を実施するための最良の形態】
【００３７】
以下、本発明にかかる精米処理設備の実施形態を図面に基づいて説明する。
図２及び図３に示すように、この精米処理設備は、仕切壁１により建物の一例としての建屋２の内部が、利用客が出入口扉６を通して自由に出入りできる作業用空間としての客室３と、管理用扉７を通して係員や管理人などが出入り可能な機械室４とに仕切られた構造となっている。
【００３８】
前記機械室４には、図４にも示すように、処理対象米である玄米が投入される投入部としての投入ホッパ８、投入された処理対象米から石などの異物を取り除く石抜機９、投入ホッパ８内に投入された処理対象米を石抜機９側に搬送する張込昇降機１０、石抜機９で異物が取り除かれた処理対象米を精米機１１側に搬送する精米昇降機１２、投入ホッパ８に投入された処理対象米を精米処理して取出部としての取出ホッパ１９に排出する精米処理手段としての精米機１１、精米機１１で発生した糠を糠回収袋１３側に排出するための糠排出用送風機１４や糠排出用ダクト１５、糠排出用サイクロン１６などが配設されている。また、機械室４における精米機１１の略上方箇所に、精米機１１へ供給する処理対象米を一時的に溜める精米タンク１７が配置され、さらに、石抜機９の上方には、石抜機９への処理対象米が一時的に溜められたり、精米タンク１７で溢れた処理対象米が一時的に溜められたりする玄米タンク１８が配設されている。
【００３９】
精米機１１は、図５に示すように、縦方向に配置された本体ケーシング２１内に、精米用駆動モータ２７（図４参照）により駆動プーリ２５を介して回転される中空の回転軸２２が配設され、この回転軸２２の上部には送りロール２３が取り付けられ、回転軸２２の下部には突条部を有する精米ロール２４がそれぞれ取り付けられ、これらの送りロール２３および精米ロール２４が回転軸２２とともに一体的に回転する。また、送りロール２３の外周側には金属製の網２６が設けられ、網２６内の糠を糠排出部２９を介して空気とともに糠排出用送風機１４により吸引して糠回収袋１３内に排出することができるようになっている。
【００４０】
又、本体ケーシング２１の上部には横向きの供給用スクリュ３０が供給用ケーシング３１内に設けられ、玄米供給用モータ３６によって供給用スクリュ３０を駆動して精米タンク１７からの玄米を精米室２８内に送り込むようになっており、精米室２８に送り込まれた玄米は精米室２８内で精米処理され、本体ケーシング２１の下端部に設けられた排出筒３３から下方の取出ホッパ１９に排出されることになる。
【００４１】
このように前記精米機１１における投入ホッパ８及び取出ホッパ１９に対する作業のために使用者が出入りする客室３を備えた建物としての建屋２が設けられ、客室３内の出入口扉６が設けられている箇所の上方に、例えば人体より発せられる赤外線の有無などにより客室３内の利用者の有無を検知する人体存否検出手段としての人体存否センサ８０が設けられている。尚、精米済みの白米は、図１及び図３に示すように、取出し用の操作ペダル１９ａを足踏み操作することで取出用ホッパ１９から白米収納袋５に向けて取り出すことができるようになっている。
【００４２】
そして、この精米処理設備では、前記精米機１１における白度調整状態を変更調整することが可能な構成となっている。すなわち、図５に示すように、本体ケーシング２１の下端部に備えられた排出筒３３には、精米の際の圧力などを調整する開度規制部材３２が昇降自在に嵌合されており、開度調整用モータ３４を作動させることで天秤揺動自在な開度調整用アーム３５を介して開度規制部材３２に上方付勢すべく作用する付勢バネ３８の付勢力を変えて、白度調整状態を調整する構成となっている。つまり、開度調整用モータ３４に連結されたねじ軸に螺合してねじ軸の回転に伴うねじ送り作用により昇降される開度調整用ブロック３７の昇降位置の変化により付勢ばね３８の下方への押圧力が調整され、それに伴って開度調整用アーム３５を介して開度規制部材３２による上方付勢力が調整され、所定の負荷状態になるように調整されるのである。従って、開度調整用モータ３４が精米機１１における白度を変更調整する白度調整手段を構成する。
【００４３】
図１に示すように、投入ホッパ８の上面開口部分である投入口４０の上方箇所には、仕切壁１から機械室４側（奥側）に入り込むように一体形成されてなる投入フード４１が設けられ、この投入フード４１によって投入空間部４２が形成されている。又、図２に示すように、仕切壁１の表側には投入フード４１の下方箇所において手前側に突出する状態で米載置台２０が設けられ、使用者が持参した処理対象米入りの袋などを載せることができるようになっている。
【００４４】
図１に示すように、客室３に対してその前面部が臨むように操作制御盤６０が配設されている。操作制御盤６０の前面部には、設備の使用に対する対価としてのコインを投入するコイン投入口６１や、複数段階の基準白度に対応する複数の基準白度情報のうちのいずれかを指令する手動操作式の白度設定手段としての複数の白度選択ボタン６２などが設けられている。操作制御盤６０の内部には、図６に示すように、コイン投入部６１からコインが投入されたこと、すなわち対価の支払が行われたことを示す対価支払情報を出力するコイン検知器６３、複数の白度選択ボタン６２の操作を検出する複数の検出スイッチＳ１〜Ｓ４、及び、そのコイン検知器６３の対価支払情報や白度選択ボタン６２にて指令される基準白度情報等に基づいて精米機１１及び開度調整用モータ３４等を制御するマイクロコンピュータ等からなる制御部６４が設けられている。従って、この制御部６４を利用して運転制御手段１００が構成されている。尚、図６では図示は省略しているが、制御部６４は、投入ホッパ８に投入された処理対象米を精米機１１に搬送する張込昇降機１０や精米昇降機１２並びに糠排出用の各装置の運転も制御することになる。
【００４５】
前記白度選択ボタン６２は、図９に示すように、「分つき」白度選択ボタン６２ａ、「標準」白度選択ボタン６２ｂ、「上白」白度選択ボタン６２ｃ、「クリーン」白度選択ボタン６２ｄの４つがあり、そのうち、「標準」の白度選択ボタン６２ｂを操作すると予め標準的な値として設定される基準白度が選択され、「上白」の白度選択ボタン６２ｃを操作すると標準の基準白度よりも白度が高い基準白度が選択され、「クリーン」の白度選択ボタン６２ｄを操作すると「上白」のときよりも更に白度が高く、炊飯前に水による研ぎ作業の回数を減らすことができる、いわゆる無洗米相当の白度が選択される。
又、「分つき」の白度選択ボタン６２ａを操作すると、基本的には基準白度として７分の白度が選択されるが、後述するように、この「分つき」の白度選択ボタン６２ａを操作したときには白度の微調節が行えるようになっている。
【００４６】
すなわち、この精米処理設備では、前記白度選択ボタン６２にて指令される複数の基準白度情報のうちの少なくともいずれか１つの基準白度情報、具体的には、「分つき」の白度選択ボタン６２ａの操作に対応する基準白度情報に対する微調節情報を指令する手動操作式の白度微調節手段ＢＴが、前記微調節情報として、前記基準白度情報を微調節しない無調節状態に対応する情報、前記基準白度情報よりも白度増大側に微調節する情報、及び、前記基準白度情報よりも白度減少側へ微調節する情報を指令可能な状態で設けられている。
【００４７】
しかも、前記白度微調節手段ＢＴが、前記基準白度情報よりも白度増大側に微調節する情報として、複数段階の微調節量に対応する複数の情報を指令可能に、及び、前記基準白度情報よりも白度減少側へ微調節する情報として、複数段階の微調節量に対応する複数の情報を指令可能に構成され、さらに、前記基準白度情報よりも白度増大側に微調節する情報よりも、前記基準白度情報よりも白度減少側へ微調節する情報の方が、大きな微調節量を指令するように構成されている。
【００４８】
次に、白度微調節手段ＢＴの具体的な構成について説明する。
この白度微調節手段ＢＴは、図６に示すように、使用者が手動操作するための微調節用の操作パネル部６９と、その操作パネル部６９における操作状態に基づいて前記微調節情報を求めて運転制御手段１００に指令する微調節処理手段２００とからなり、前記微調節用の操作パネル部６９は、図１に示すように、取出ホッパ１９の近傍、すなわち、取出ホッパ１９よりも上方側における仕切壁１の客室３側の壁面の使用者が操作し易い箇所に設けられている。
【００４９】
前記微調節用の操作パネル部６９は、図６に示すように、手動操作自在な回転つまみ６５によって操作されるロータリースイッチ６６と、微調整状態を表示する複数の表示ランプ６７からなる表示部６８とを備えて構成され、この表示部６８は、合計９個の表示ランプ６７が回転つまみ６５の外周側に周方向に適宜間隔をあけて並ぶ状態で設けられ、それらのうちのいずれか１つが点灯することで現在の微調節情報を表示するように構成されている。
【００５０】
前記微調節処理手段２００は、前記制御部６４を利用して構成されており、この微調節処理手段２００は、前記ロータリースイッチ６６の検出情報に基づいて検出される回転つまみの回転操作方向並びに回転操作量から微調節情報を求めて運転制御手段１００に指令する処理並びにその微調節情報に対応する表示状態になるように表示部６８の動作を制御する処理を実行するように構成されている。
【００５１】
説明を加えると、前記微調節処理手段２００は、新たな使用者が設備の使用を開始する際には、常に、前記微調節情報として、前記基準白度情報を微調節しない無調節状態に対応する情報を指令するようになっており、そのときは、中央（±０）に位置する表示ランプ６７を点灯させる。そして、使用者が、その無調節状態から回転つまみ６５を右方向に回転させると、前記微調節情報として、基準白度情報よりも白度増大側に微調節する情報を指令し、回転つまみ６５を左方向に回転させると、前記微調節情報として、基準白度情報よりも白度減少側に微調節する情報を指令することになる。
【００５２】
説明を加えると、前記無調節状態に対応する情報を指令している状態から、回転つまみ６５を右方向に単位量操作したことを検出すると、処理対象米の白度が増大側設定単位量増大する白度調整情報に対応する微調節情報を指令し、且つ、右１番目（+１）の表示ランプ６７が点灯するように表示部６８の表示状態を切り換える。以下、順次、回転つまみ６５を右方向に単位量操作する毎に最大４段階まで増大側設定単位量ずつ白度が増大する白度調整情報に対応する微調節情報を指令し、併せて順次隣接する表示ランプ６７が点灯するように表示部６８の表示状態を切り換える。
【００５３】
一方、前記無調節状態に対応する情報を指令している状態から、回転つまみ６５を左方向に単位量操作したことを検出すると、処理対象米の白度が減少側設定単位量減少する白度調整情報に対応する微調節情報を指令し、且つ、左１番目（-１）の表示ランプ６７が点灯するように表示部６８の表示状態を切り換える。以下、順次、回転つまみ６５を左方向に単位量操作する毎に最大４段階まで減少側設定単位量ずつ白度が減少する白度調整情報に対応する微調節情報を指令し、併せて順次隣接する表示ランプ６７が点灯するように表示部６８の表示状態を切り換える。そして、前記減少側設定単位量が前記増大側設定単位量よりも大きい値になるように設定されている。
【００５４】
このように前記基準白度情報よりも白度増大側及び減少側の夫々に微調節する情報として、複数段階（４段階）の微調節量に対応する複数の情報を指令するようになっており、白度増大側に微調節する情報よりも白度減少側へ微調節する情報の方が、大きな微調節量を指令するようになっている。
【００５５】
そして、前記運転制御手段１００が、前記コイン検知器６３から対価支払情報が出力され、且つ、いずれかの白度選択ボタン６２が操作されて白度が指令されると、運転開始条件が満たされたものとして、精米機１１にて精米処理を行い且つ白度選択ボタン６２にて指令される基準白度情報に対応する白度調整状態に調整するように、精米機１１及び開度調整用モータ３４の作動を制御する精米運転制御処理を実行するように構成されている。
【００５６】
すなわち、前記運転制御手段１００は、前記精米運転制御処理として、投入された玄米の搬送処理や糠排出処理に加えて、精米機１１における精米用駆動モータ２７及び玄米供給用モータ３６の駆動を開始して精米機１１にて精米処理を行い、開度調整用モータ３４を駆動して基準白度情報に対応する白度調整状態に調整するのである。そして、コイン投入口６１から投入されるコイン（１００円）の個数によって、精米を実行する使用可能時間が設定されるようになっており、精米処理を開始してその使用可能時間が経過すると自動的に精米処理を停止するように構成されている。ちなみに、対価が１００円のときは１０Ｋｇ、２００円のときは２０Ｋｇ、３００円のときは３０Ｋｇの処理対象米の精米処理を実行するのに要する処理時間が使用可能時間として設定されることになる。但し、精米処理を開始したのちに使用可能時間が経過するまでの間に、精米タンク１７に備えられた玄米存否センサ（図示せず）にて玄米の非存在が検出され、その状態が設定時間継続すると精米処理を停止するようにしている。
【００５７】
前記運転制御手段１００は、白度微調節手段ＢＴによる微調節の対象となる基準白度情報が指令されている場合、すなわち、「分つき」の白度選択ボタン６２ａが操作されている場合には、白度選択ボタン６２にて指令される基準白度情報と白度微調節手段ＢＴにて指令される微調節情報とに基づいて求めた調節白度情報（具体的には、後述するような目標電力値）に対応する白度調整状態に開度調整用モータ３４を調整する形態で、前記精米運転制御処理を実行するように構成されている。
【００５８】
説明を加えると、精米用の条件を種々変化させて実際に精米処理を行った実験結果等から、予め、「分つき」の白度選択ボタン６２ａにて指令される基準白度情報に対して白度微調節手段ＢＴにて指令される複数の微調節情報に対応させて、各微調節情報に対応する白度を得ることができる精米用駆動モータ２７の目標電力値を求めておき、複数の微調節情報、すなわち、前記無調節状態に対応する情報、並びに、白度増大側の４段階並びに白度減少側の４段階の夫々の情報（−４〜＋４の９段階の情報）に対応する複数の目標電力値を示すマップデータとして記憶しておき、実際の精米処理を実行するときに、指令された調整状態に対応する目標電力値をマップデータより求め、実測される精米用駆動モータ２７の電力値が目標電力値になるように開度調整用モータ３４を調整するのである。従って、上記マップデータにおけるいずれかの微調節情報の目標電力値と基準白度情報に対応する目標電力値との差が、その微調節情報に対応する微調節量に相当するものになる。
【００５９】
そして、前記白度微調節手段ＢＴは、季節情報に基づいて前記微調節情報に対応する微調節量を補正するように構成されている。
具体的には、上記マップデータは、季節の違いに応じて同じ微調節情報を指令しても目標電力値が互いに異なる複数のマップデータが用意されており、実際に精米を行うときの季節の状況に応じて複数のマップデータのうちのいずれか適切なものを用いて精米用駆動モータ２７の目標電力値を求めるようになっている。つまり、図８に示すように、複数のマップデータとして、春季（３月〜５月）及び秋季（９月〜１１月）に対応する標準的な値を有するもの、夏季（６月〜８月）に対応する値を有するもの、冬季（１２月〜２月）に対応する値を有するものがある。尚、図８に示す例では、４個の白度選択ボタン６２にて指令される基準白度情報に対応する目標電力値はいずれの季節も同じ値を用いるようになっている。
【００６０】
説明を加えると、夏季に精米を行う場合には、処理対象米は含有水分が多めであり且つ比較的軟い状態となって、精米処理において削れ易い傾向があり、一方、冬季に精米を行う場合には、処理対象米は含有水分が少なめであり且つ比較的硬い状態となって、精米処理において削れ難い傾向があるが、それに対応させて、どのような季節であっても、同じ微調節情報を指令すると精米処理後の米が同じ又は略同じ白度になるように、実験結果等により定めた微調節量が設定される。
【００６１】
季節を判別する構成としては、前記制御部６４が、カレンダー機能を備え且つ現在はどの季節であるかを時間の経過に伴って判別可能な構成となっており、その季節の判別結果に応じて上記したように予め記憶されている複数種のマップデータのうちの適切なマップデータを用いるようにしている。このような構成により、季節情報に基づいて前記微調節情報に対応する微調節量を補正するようになっている。
【００６２】
又、運転制御手段１００は、白度微調節手段ＢＴをリセットするための条件として定めたリセット用判別条件が満たされると、前記白度微調節手段ＢＴを前記無調節状態に対応する情報を指令する状態に復帰させるリセット処理を実行するように構成され、前記対価に対応して設定された使用可能時間が経過し、且つ、前記人体存否センサ８０にて使用者の非存在状態を検出すると、前記リセット用判別条件が満たされたと判別するように構成されている。
【００６３】
前記精米機１１における白度調整状態の調整について説明を加える。
精米ロール２４を駆動させる精米用駆動モータ２７には、精米室２８の内部圧力に応じて負荷がかかり、負荷の変化に伴ってその電力値が変化する。又、精米室２８の負荷の変化は精米を行うときの白度調整状態の変化に対応することになる。そこで、精米用駆動モータ２７の実電力量を測定する電力計７１（図６参照）を設け、その電力計７１の出力情報により精米ロール２４の負荷を検出しながら、その負荷が所定の負荷となるように、つまり、精米用駆動モータ２７の電力量が目標電力値となるように前記開度調整用モータ３４を作動させることで前記付勢バネ３８の付勢力を変えて、使用者が希望する白度の米が得られるように白度調整状態を調整するのである。
【００６４】
以下、制御部６４による精米運転制御処理についてフローチャートに基づいて説明する。
図７に示すように、前記コイン検知器６３から対価支払情報が出力され、且つ、いずれかの白度選択ボタン６２が操作されて基準白度情報が指令されると、精米用駆動モータ２７及び玄米供給用モータ３６の駆動を開始して精米機１１にて精米処理を開始する（ステップ１，２，３）。「分つき」の白度選択ボタン６２ａが操作されている場合に、白度微調節手段ＢＴにおける回転つまみ６５が操作されて微調節操作が行われると、ロータリースイッチ６６の検出情報に基づいてその操作状態に対応する微調節情報を表示するように表示部６８の表示状態を切り換える（ステップ４，５，６）。そして、回転つまみ６５が操作されて微調節操作が行われると、その操作状態に対応する微調節情報を指令すべき微調節情報として求め、微調節操作が行われていなければ現在設定されている微調節情報を指令すべき微調節情報として求める（ステップ７）。そして、上述したように、カレンダー機能と時間の経過状態の計測結果からそのときの季節を判別して適切なマップデータを選択して、そのマップデータに基づいて、精米用駆動モータ２７の目標電力値を求め（ステップ８）、電力計７１にて計測される精米用駆動モータ２７の実電力値が目標電力値になるように、開度調整用モータ３４を制御する（ステップ９）。
【００６５】
「分つき」の白度選択ボタン６２ａ以外の白度選択ボタン６２が操作されている場合には、操作された白度選択ボタン６２に対応する基準白度情報より目標電力値を求め（ステップ１０）、電力計７１にて計測される精米用駆動モータ２７の実電力値が目標電力値になるように、開度調整用モータ３４を制御する（ステップ９）。
【００６６】
精米処理を開始してから、支払われた対価すなわち投入されたコインの個数に応じて設定された使用可能時間が経過すると、精米処理を停止する（ステップ１１，１２）。尚、図示は省略しているが、精米処理を開始したのちに使用可能時間が経過するまでの間に、精米タンク１７に備えられた玄米存否センサにて玄米の非存在が検出され、その後非存在状態が設定時間継続すると精米処理を停止するようにしている。
【００６７】
そして、使用可能時間が経過するか又は精米タンク１７内の玄米の非存在在状態が設定時間継続すると精米処理を停止し、且つ、人体存否センサ８０が使用者の非存在状態を検出すると、前記白度微調節手段ＢＴをリセットするための条件として定めたリセット用判別条件が満たされたものとして、微調節情報として前記無調節状態に対応する情報を指令する状態に復帰させるリセット処理を実行する（ステップ１３，１４）。このとき、表示部６８を前記無調節状態に対応する表示状態、つまり、中央（±０）に位置する表示ランプ６７が点灯する表示状態に切り換えることになる。精米処理を停止したのちに人体存否センサ８０が非存在状態を検出しない状態でコイン投入が行われると、ステップ２に移行して再度、同一の処理状態で精米処理を実行することになる（ステップ１５）。
【００６８】
〔別実施形態〕
（１）上記実施形態では、前記白度微調節手段ＢＴが、ロータリースイッチ６６の操作状態を検出して前記微調節情報を指令する構成とし、表示ランプ６７が円弧状に並ぶ構成としたが、このような構成に代えて、次のように構成するものでもよい。
【００６９】
例えば、図１０に示すように、押し操作することにより現在の微調節情報から１段階ずつ白度を増大させる増大用スイッチ７５と、押し操作することにより現在の微調節情報から１段階ずつ白度を減少させる減少用スイッチ７６とを備える構成としてもよく、又、表示部６８の表示ランプ６７の並び状態を円弧状に代えて横方向に一列に並ぶ状態としてもよい。
【００７０】
前記表示部の構成として、複数の表示ランプに代えて移動針式の表示装置等により微調節情報を表示する構成としてもよい。
【００７１】
一つの回転つまみとロータリースイッチとを設けるものに代えて、複数段階の微調節量の夫々に対応させて複数の操作スイッチを備えて、いずれかの操作スイッチを操作することで、その操作スイッチに対応する微調節量の微調節情報を前記運転制御手段に指令する構成としてもよい。
【００７２】
さらに、白度微調節手段をリセット処理可能にする構成として、次のように構成するものでもよい。
すなわち、前記回転つまみ及び前記ロータリースイッチに代えて、中立位置から正逆方向に回動操作自在で且つ回動操作量に応じて複数段階に異なる微調節量の情報を上記実施形態における微調節処理手段に指令するポテンショメータにて構成し、前記リセット処理が行われるとこのポテンショメータの操作位置を強制的に中立位置に戻し操作する復帰操作手段を備える構成としてもよい。
【００７３】
又、前記白度微調節手段として、上記実施形態における前記付勢ばね３８の付勢力を変更調整可能なように連動連係されて、中立位置から正逆方向に移動操作自在で且つ中立位置に復帰付勢される手動操作式の操作具と、その操作具を正逆方向いずれかに操作すると、その操作位置で位置保持する電気操作式の保持手段とを備え、前記リセット処理が行われると電気操作式の保持手段が保持状態を解除するような構成としてもよい。
【００７４】
（２）上記実施形態では、前記白度微調節手段が、前記基準白度情報よりも白度増大側に微調節する情報として、複数段階の微調節量に対応する複数の情報を指令可能に、及び、前記基準白度情報よりも白度減少側へ微調節する情報として、複数段階の微調節量に対応する複数の情報を指令可能に構成されているものを例示したが、このような構成に代えて、微調節量を無段階に変更させる形態で微調節情報を指令可能な構成としてもよい。
【００７５】
（３）上記実施形態では、前記白度微調節手段が、前記基準白度情報よりも白度増大側に微調節する情報よりも、前記基準白度情報よりも白度減少側へ微調節する情報の方が、大きな微調節量を指令するように構成されているものを例示したが、このような構成に代えて、前記基準白度情報として、例えば５分の白度を設定しておき、前記基準白度情報よりも白度増大側及び白度減少側の夫々において同じ微調節量を指令するように構成するものでもよい。
【００７６】
（４）上記実施形態では、目標電力値を求めるための複数のマップデータとして、前記複数の基準白度情報に対応する目標電力値はいずれの季節も同じ値を用いる構成を例示したが、このような構成に限らず、例えば、図１１に示すように、春季（３月〜５月）及び秋季（９月〜１１月）に対応するもの、夏季（６月〜８月）に対応するもの、冬季（１２月〜２月）に対応するものの夫々について、前記複数の基準白度情報に対応する目標電力値が互いに異なる値に設定されるように構成するものでもよい。ちなみに、この実施形態では、上記実施形態と同様に、季節の違いに応じて変化する米の状態の違いに応じて、予め実験結果等により同じ微調節情報が指令されると同じ又は略同じ白度になるように予め求めた値が前記複数の基準白度情報に対応する目標電力値として設定される。
【００７７】
（５）上記実施形態では、前記白度微調節手段が季節情報に基づいて前記微調節情報を補正するように構成されるものを例示したが、このような構成に代えて、前記処理対象米の温度情報に基づいて前記微調節情報を補正する構成としてもよい。
【００７８】
つまり、上記実施形態における投入ホッパ８あるいは精米タンク１７等の処理対象米が一時貯留される箇所に米温を検出するための穀温センサを備えておき、この穀温センサの検出情報に基づいて、例えば、温度が夏季の温度に対応する高い温度であれば、上記実施形態における夏季のマップデータに対応する情報を用い、温度が冬季の温度に対応する低い温度であれば、上記実施形態における冬季のマップデータに対応する情報を用いるような構成としてもよい。
又、このようにマップデータに対応する情報を用いるものに代えて、穀温の検出値と予め設定されている基準値との差の情報、あるいは、外気温度と予め設定されている基準外気温度との差の情報等から前記白度設定手段にて指令される前記基準白度情報を補正するための補正量を求め、且つ、その補正量にて前記基準白度情報を補正する演算処理を行うようにしてもよい。
【００７９】
（６）上記実施形態では、前記運転制御手段が、前記白度設定手段にて指令される基準白度情報と前記白度微調節手段にて指令される微調節情報とに基づいて調節白度情報としての目標電力値を求める構成として、マップデータに基づいて求めるようにしたが、このような構成に限らず、前記白度設定手段の指令内容に対応する複数の基準白度情報だけを予め記憶しておき、前記白度微調節手段にて指令される微調節情報として、基準白度情報を増減させるための補正量の情報が入力される構成とし、前記白度設定手段にて指令される基準白度情報を前記白度微調節手段にて指令される補正量にて増減補正すべく演算処理して調節白度情報としての目標電力値を求める構成としてもよい。
【００８０】
（７）上記実施形態では、前記リセット用判別条件として、使用者によって支払われる対価に対応して設定された使用可能時間が経過するか又は精米タンク内の玄米の非存在在状態が設定時間継続すると精米処理を停止し、且つ、前記人体存否検出手段が前記非存在状態を検出すると、前記リセット用判別条件が満たされたと判別するように構成したが、このような構成に代えて、例えば、精米タンク内の玄米の非存在在状態を検知することなく、使用者によって支払われる対価に対応して設定された使用可能時間が経過し、且つ、前記人体存否検出手段が前記非存在状態を検出すると、前記リセット用判別条件が満たされたと判別する構成としたり、あるいは、対価に対応して設定された使用可能時間が経過すると前記リセット用判別条件が満たされたと判別する構成、さらには、精米タンク内の処理対象米が無くなってから設定時間が経過すると前記リセット用判別条件が満たされたと判別する構成等、種々の条件を設定することが可能であり、要するに、使用者が投入した処理対象米についての精米処理が終了して当該使用者による設備の使用が終了したことを判別するものであればよく、具体的な判別処理の構成は適宜変更が可能である。
【００８１】
（８）上記実施形態では、複数の白度選択ボタン６２のうち「分つき」の白度選択ボタン６２ａを操作したときに白度の微調節が行えるように構成したが、「分つき」の白度選択ボタン６２ａ以外の他の白度選択ボタン６２を操作したときにも白度の微調節が行えるように構成するものでもよい。
【００８２】
（９）上記実施形態では、設備の使用に対する対価の支払としてコインが投入される構成としたが、コインに限らず紙幣で支払うようにしたり、あるいは、プリペイド式の磁気カードや無接触式のＩＣカードによる代金決裁等の種々の方法で対価の支払いを行う形式を適用できる。
【００８３】
（１０）上記実施形態では、前記精米処理手段として、精米ロールが縦軸芯周りで回転して処理対象米を上下方向に沿って移動させながら精米処理を行う縦軸型の精米機を例示したが、精米ロールが横軸芯周りで回転して処理対象米を水平方向に沿って移動させながら精米処理を行う横軸型の精米機を用いてもよい。
【００８４】
（１１）上記実施形態では、前記運転制御手段１００が、前記白度設定手段にて指令される基準白度情報と前記白度微調節手段にて指令される微調節情報とに基づいて求める調節白度情報として、前記精米用駆動モータ２７の目標電力値を求め、その精米用駆動モータ２７の実際の電力値が目標電力値になるように白度調整手段としての前記開度調整用モータ３４を制御する構成としたが、このような構成に代えて、前記調節白度情報として前記開度規制部材３２に掛かる圧力の目標値を求め、実際に掛かる圧力の検出値が目標値になるように前記開度調整用モータ３４を制御する構成等の種々の構成を適用できる。
【００８５】
（１２）上記実施形態では、処理対象米が玄米である場合を述べたが、これに限るものではなく、籾摺装置を備えて、投入口に投入される処理対象米が籾である精米処理設備にも適用できる。
【図面の簡単な説明】
【００８６】
【図１】精米処理設備の正面図
【図２】精米処理設備の平面図
【図３】図２のイ−イ線矢視断面図
【図４】精米処理設備の概略構成を示す図
【図５】精米機の正面断面図
【図６】制御ブロック図
【図７】制御動作のフローチャート
【図８】目標電力値設定用のマップデータを示す図
【図９】白度設定手段を示す図
【図１０】別実施形態の白度微調節手段を示す図
【図１１】別実施形態の目標電力値設定用のマップデータを示す図
【符号の説明】
【００８７】
２      建物
３      作業用空間
８      投入部
１１    精米処理手段
１９    取出部
３４    白度調整手段
６２    白度設定手段
８０    人体存否検出手段
１００  運転制御手段
ＢＴ    白度微調節手段  
【図１】
0004875553.tif 000002
【図２】
0004875553.tif 000003
【図３】
0004875553.tif 000004
【図４】
0004875553.tif 000005
【図５】
0004875553.tif 000006
【図６】
0004875553.tif 000007
【図７】
0004875553.tif 000008
【図８】
0004875553.tif 000009
【図９】
0004875553.tif 000010
【図１０】
0004875553.tif 000011
【図１１】
0004875553.tif 000012